【手続補正書】
【提出日】平成17年9月14日(2005.9.14)
【手続補正１】
【補正対象書類名】明細書
【補正対象項目名】特許請求の範囲
【補正方法】変更
【補正の内容】
【特許請求の範囲】
【請求項１】
表示装置に情報を表示するための表示情報を管理する表示情報管理装置と、遊技店に設置されている遊技機に対応して設けられ、記憶装置と表示装置を有する遊技端末装置とを備え、遊技者により指示された情報を遊技端末装置の表示装置に表示する情報提供装置であって、
表示情報管理装置は、遊技端末装置から送信された表示情報要求信号を受信すると、受信した表示情報要求信号で示されている情報を表示するための表示情報を遊技端末装置に送信し、
遊技端末装置は、情報が指示されると、指示された情報を表示するための表示情報が記憶装置に記憶されているか否かを判別し、
指示された情報を表示するための表示情報が記憶装置に記憶されている時には、記憶装置から表示情報を読み出し、読み出した表示情報に基づいて、指示された情報を表示装置に表示し、
指示された情報を表示するための表示情報が記憶装置に記憶されていない時には、指示された情報を示す表示情報要求信号を表示情報管理装置に送信し、表示情報管理装置から送信された表示情報を受信すると、受信した表示情報に基づいて、指示された情報を表示装置に表示し、また、受信した表示情報が特定情報を表示するための表示情報であるか否かを判別し、受信した表示情報が特定情報を表示するための表示情報である時には、受信した表示情報を記憶装置に記憶する、
情報提供装置。
【請求項２】
表示装置に情報を表示するための表示情報を管理する表示情報管理装置と、遊技店に設置されている遊技機に対応して設けられ、記憶装置と表示装置を有する遊技端末装置とを備え、遊技者により指示された情報を遊技端末装置の表示装置に表示する情報提供装置であって、
表示情報管理装置は、遊技端末装置から送信された表示情報要求信号を受信すると、受信した表示情報要求信号で示されている情報を表示するための表示情報を遊技端末装置に送信し、
遊技端末装置は、特定情報が指示されると、指示された特定情報を表示するための表示情報が記憶装置に記憶されているか否かを判別し、
指示された特定情報を表示するための表示情報が記憶装置に記憶されている時には、記憶装置から表示情報を読み出し、読み出した表示情報に基づいて、指示された特定情報を表示装置に表示し、
指示された特定情報を表示するための表示情報が記憶装置に記憶されていない時には、指示された特定情報を示す表示情報要求信号を表示情報管理装置に送信し、表示情報管理装置から送信された表示情報を受信すると、受信した表示情報に基づいて、指示された特定情報を表示装置に表示するとともに、受信した表示情報を記憶装置に記憶する、
情報提供装置。
【請求項３】
表示装置に情報を表示するための表示情報を管理する表示情報管理装置と、遊技店に設置されている遊技機に対応して設けられ、記憶装置と表示装置を有する遊技端末装置とを備え、遊技者により指示された情報を遊技端末装置の表示装置に表示する情報提供装置であって、
表示情報管理装置は、遊技端末装置から送信された表示情報要求信号を受信すると、受信した表示情報要求信号で示されている情報を表示するための表示情報を遊技端末装置に送信し、
遊技端末装置は、
複数の情報を示す表示情報要求信号を表示情報管理装置に送信し、表示情報管理装置から送信された表示情報を受信すると、受信した表示情報が特定情報を表示するための表示情報であるか否かを判別し、受信した表示情報が特定情報を表示するための表示情報である時には、受信した表示情報を記憶装置に記憶し、
情報が指示されると、指示された情報を表示するための表示情報が記憶装置に記憶されているか否かを判別し、
指示された情報を表示するための表示情報が記憶装置に記憶されている時には、記憶装置から表示情報を読み出し、読み出した表示情報に基づいて、指示された情報を表示装置に表示し、
指示された情報を表示するための表示情報が記憶装置に記憶されていない時には、指示された情報を示す表示情報要求信号を表示情報管理装置に送信し、表示情報管理装置から送信された表示情報を受信すると、受信した表示情報に基づいて、指示された情報を表示装置に表示する、
情報提供装置。
【請求項４】
表示装置に情報を表示するための表示情報を管理する表示情報管理装置と、遊技店に設置されている遊技機に対応して設けられ、記憶装置と表示装置を有する遊技端末装置とを備え、遊技者により指示された情報を遊技端末装置の表示装置に表示する情報提供装置であって、
表示情報管理装置は、遊技端末装置から送信された表示情報要求信号を受信すると、受信した表示情報要求信号で示されている情報を表示するための表示情報を遊技端末装置に送信し、
遊技端末装置は、
複数の特定情報を示す表示情報要求信号を表示情報管理装置に送信し、表示情報管理装置から送信された表示情報を受信すると、受信した表示情報を記憶装置に記憶し、
情報が指示されると、指示された情報を表示するための表示情報が記憶装置に記憶されているか否かを判別し、
指示された情報を表示するための表示情報が記憶装置に記憶されている時には、記憶装置から表示情報を読み出し、読み出した表示情報に基づいて、指示された情報を表示装置に表示し、
指示された情報を表示するための表示情報が記憶装置に記憶されていない時には、指示された情報を示す表示情報要求信号を表示情報管理装置に送信し、表示情報管理装置から送信された表示情報を受信すると、受信した表示情報に基づいて、指示された情報を表示装置に表示する、
情報提供装置。
【請求項５】
請求項１または３に記載の情報提供装置であって、特定情報を表示するための表示情報には判別情報が付加されており、遊技端末装置は、受信した表示情報に判別情報が付加されている時に、受信した表示情報が特定情報を表示するための表示情報であることを判別する情報提供装置。
【請求項６】
請求項１〜５のいずれかに記載の情報提供装置であって、さらに、関連情報を管理する関連情報管理装置を備え、
関連情報管理装置は、遊技端末装置から送信された関連情報要求信号を受信すると、受信した関連情報要求信号で示されている関連情報を遊技端末装置に送信し、
遊技端末装置は、記憶装置から読み出した表示情報あるいは受信した表示情報に関連情報が存在するか否かを判別し、
記憶装置から読み出した表示情報あるいは受信した表示情報に関連情報が存在しない時には、記憶装置から読み出した表示情報あるいは受信した表示情報に基づいて、指示された情報を表示装置に表示し、
記憶装置から読み出した表示情報あるいは受信した表示情報に関連情報が存在する時には、関連情報を示す関連情報要求信号を関連情報管理装置に送信し、関連情報管理装置から送信された関連情報を受信すると、受信した関連情報と、記憶装置から読み出した表示情報あるいは受信した表示情報に基づいて、指示された情報を表示装置に表示する、
情報提供装置。
【請求項７】
請求項１〜６のいずれかに記載の情報提供装置であって、遊技端末装置は、表示情報管理装置から送信された表示情報を受信すると、受信した表示情報に、当該表示情報により表示される情報とは別の情報に関する表示情報が含まれているか否かを判別し、受信した表示情報に、当該表示情報により表示される情報とは別の情報に関する表示情報が含まれている時には、次に当該別の情報を表示する表示情報を受信した時に、当該受信した表示情報を記憶装置に記憶する情報提供装置。
【手続補正２】
【補正対象書類名】明細書
【補正対象項目名】０００６
【補正方法】変更
【補正の内容】
【０００６】
【課題を解決するための手段】
前記課題を解決するための本発明の第１発明は、請求項１に記載されたとおりの情報提供装置である。
請求項１に記載の情報提供装置では、遊技端末装置は、指示された情報を表示するための表示情報が遊技端末装置の記憶装置に記憶されていれば、遊技端末装置の記憶装置に記憶されている表示情報に基づいて表示する。一方、遊技端末装置の記憶装置に記憶されていなければ、指示された情報を表示するための表示情報を表示情報管理装置から受信し、受信した表示情報に基づいて表示するとともに、受信した表示情報が特定情報を表示するための表示情報である場合には受信した表示情報を遊技端末装置の記憶装置に記憶する。このように、特定情報を表示するための表示情報を遊技端末装置の記憶装置に記憶するため、特定情報が指示されてから、遊技端末装置の表示装置に指示された特定情報が表示されるまでの時間を短縮することができる。また、特定情報を表示するための表示情報を遊技端末装置の記憶装置に記憶することにより、表示情報管理装置での処理負担が軽減されるため、特定情報以外の情報を表示するための表示情報の送信処理時間を短縮することができる。したがって、情報が指示されてから、遊技端末装置の表示装置に指示された情報が表示されるまでの時間を短縮することができる。さらに、表示情報を変更する場合には表示情報管理装置で管理している表示情報のみを変更すればよいため、表示情報の変更作業が容易である。この場合、例えば、所定の時期に、遊技端末装置の記憶装置に記憶されている表示情報をリセットさせる処理を遊技端末装置に実行させればよい。
なお、「記憶装置と表示装置を有する遊技端末装置」という記載は、遊技端末装置の処理装置がアクセス可能な記憶装置と表示装置が設けられているという構成を表現したものであり、記憶装置と表示装置が遊技端末装置に一体的に設けられている必要はない。
また、本発明の第２発明は、請求項２に記載されたとおりの情報提供装置である。
請求項２に記載の情報提供装置では、遊技端末装置は、特定情報が指示された時、指示された特定情報を表示するための表示情報が遊技端末装置の記憶装置に記憶されていれば、遊技端末装置の記憶装置に記憶されている表示情報に基づいて表示する、一方、遊技端末装置の記憶装置に記憶されていなければ、指示された特定情報を表示するための表示情報を表示情報管理装置から受信し、受信した表示情報に基づいて表示するとともに、受信した表示情報を遊技端末装置の記憶装置に記憶する。これにより、第1発明と同様に、情報が指示されてから、遊技端末装置の表示装置に指示された情報が表示されるまでの時間を短縮することができる。また、本発明では、特定情報が指示された時にのみ、記憶装置に記憶されているか否かの判別処理、受信した表示情報を記憶装置に記憶する処理を実行するため、遊技端末装置の処理負担を軽減することができる。さらに、表示情報を変更する場合には表示情報管理装置で管理している表示情報のみを変更すればよいため、表示情報の変更作業が容易である。
また、本発明の第３発明は、請求項３に記載されたとおりの情報提供装置である。
請求項３に記載の情報提供装置では、表示情報の記憶時には、表示情報管理装置は、遊技端末装置の表示装置に表示可能な表示情報を遊技端末装置に送信し、遊技端末装置は、受信した表示情報の中から特定情報を表示するための表示情報を遊技端末装置の記憶装置に記憶する。そして、情報が指示された時には、遊技端末装置は、指示された情報を表示するための表示情報が遊技端末装置の記憶装置に記憶されていれば、遊技端末装置の記憶装置に記憶されている表示情報に基づいて表示する。一方、遊技端末装置の記憶装置に記憶されていなければ、表示情報管理装置から表示情報を受信し、受信した表示情報に基づいて表示する。本発明では、特定情報を表示するための表示情報を表示情報管理装置から受信し遊技端末装置の記憶装置に記憶する処理をまとめて行うため、指示された情報を表示するための表示情報を表示情報管理装置から受信する毎に、遊技端末装置の記憶装置に記憶するか否かを判断する必要がない。
また、本発明の第４発明は、請求項４に記載されたとおりの情報提供装置である。
請求項４に記載の情報提供装置では、表示情報の記憶時には、表示情報管理装置は、遊技端末装置の表示装置に表示可能な表示情報の中から特定情報を表示するための表示情報を遊技端末装置に送信し、遊技端末装置は、受信した表示情報を遊技端末装置の記憶装置に記憶する。そして、情報が指示された時には、指示された情報を表示するための表示情報が遊技端末装置の記憶装置に記憶されていれば、遊技端末装置の記憶装置に記憶されている表示情報に基づいて表示する。一方、遊技端末装置の記憶装置に記憶されていなければ、指示された情報を表示するための表示情報を表示情報管理装置から受信し、受信した表示情報に基づいて表示する。これにより、第３発明と同様に、特定情報を表示するための表示情報を表示情報管理装置から受信して遊技端末装置の記憶装置に記憶する処理をまとめて行うため、遊技端末装置の処理が簡単となる。特に、本発明では、特定情報を表示するための表示情報のみを表示情報管理装置から遊技端末装置に送信するため、特定情報を表示するための表示情報を遊技端末装置の記憶装置に記憶する際の表示情報管理装置や遊技端末装置の処理負担を軽減することができる。
また、本発明の第５発明は、請求項５に記載されたとおりの情報提供装置である。
請求項５に記載の情報提供装置では、遊技端末装置は、受信した表示情報に付加されている判別情報に基づいて特定情報を表示するための表示情報であるか否かを判別する。これにより、特定情報を表示するための表示情報であるか否かを容易に判別することができる。表示情報に判別情報を付加する方法としては、例えば、表示情報に予め判別情報を付加しておく方法や、表示情報管理装置が表示情報を送信する際に判別情報を付加する方法等を用いることができる。
また、本発明の第６発明は、請求項６に記載されたとおりの情報提供装置である。
請求項６に記載の情報提供装置では、遊技端末装置は、指示された情報を表示する際、記憶装置に記憶されている表示情報または受信した表示情報に関連情報がある場合には、関連情報を関連情報管理装置から受信し、受信した関連情報と記憶装置に記憶されている表示情報または受信した表示情報に基づいて表示する。これにより、例えば、背景画面等の遊技による変動がない表示情報と遊技によって変動する遊技情報等の関連情報により構成される情報を表示する場合でも、情報が指示されてから、遊技端末装置の表示装置に指示された情報が表示されるまでの時間を短縮することができる。なお、関連情報管理装置と表示情報管理装置を１つの管理装置で兼用することもできる。関連情報管理装置の機能と表示情報管理装置の機能を有する１つの管理装置を用いた情報提供装置も、本発明の概念に含まれる。
また、本発明の第７発明は、請求項７に記載されたとおりの情報提供装置である。
請求項７に記載の情報提供装置では、遊技端末装置は、表示情報管理装置から送信された表示情報を受信した時、受信した表示情報に、当該表示情報により表示される情報とは別の情報に関する表示情報が含まれていた場合には、次に当該別の情報を表示する表示情報を受信した時に、当該受信した表示情報を記憶装置に記憶する。表示情報により表示される情報とは別の情報に関する表示情報としては、例えば、別の情報を提供する提供元のアドレスや別の情報の情報名等を表示する表示情報が該当する。例えば、任意の情報に、別の情報の提供元のアドレスや情報名が含まれている場合には、任意の情報が表示装置に表示された際に、別の情報も表示装置に表示させることが多い。本発明を用いれば、このような場合でも、任意の情報に含まれている別の情報が指示されてから、遊技端末装置の表示装置に指示された別の情報が表示されるまでの時間を短縮することができる。
【手続補正３】
【補正対象書類名】明細書
【補正対象項目名】００１５
【補正方法】変更
【補正の内容】
【００１５】
次に、遊技端末装置１１の記憶装置４１に特定表示情報が記憶されている状態で、例えば、遊技者が表示装置４１に表示する情報を指示した場合の処理を説明する。
図３に示す処理は、適宜の時期に開始される。
ステップＢ１では、情報の表示が指示されたか否かを判別する。情報の指示は、例えば、入力装置５１を用いて指示する方法や、表示装置３１に表示されているメニュー画面で所望の情報を指でタッチすることによって指示する方法等を用いることができる。情報の表示が指示された場合にはステップＢ２に進み、情報の表示が指示されていない場合に処理を終了する。
ステップＢ２では、指示された情報が特定情報であるか否かを判別する。指示された情報が特定情報であるか否かは、例えば、メニュー画面を表示する表示情報に付加さている判別情報に基づいて判別する。なお、画面全体の情報が特定情報の場合もあるし、画面の中の一部が特定情報の場合もある。画面全体あるいは画面の中の一部が特定情報であるか否かも判別可能を区別できるように、判別情報を表示情報に付加するのが好ましい。例えば、メニュー画面で「台データ」の情報と「お知らせ」の情報を指示可能である場合、「台データ」は特定情報であり、「お知らせ」は特定情報でないということが判別可能に判別情報を付加する。この場合、例えば、メニュー画面で「台データ」が指示されると、特定情報が指示されたことを判別する。
指示された情報が特定情報でない場合にはステップＢ３に進み、特定情報である場合にはステップＢ６に進む。
【手続補正４】
【補正対象書類名】明細書
【補正対象項目名】００２１
【補正方法】変更
【補正の内容】
【００２１】
また、第１の実施の形態では、関連情報を設定する場合について説明したが、本発明は、関連情報を設定しない場合にも適用することができる。
本発明の情報提供方法の第２の実施の形態を図４に示すフローチャート図により説明する。本実施の形態においても、例えば、図２に示す処理等によって遊技端末装置１１の記憶装置４１に特定表示情報が記憶される。
図４に示す処理は、図３に示す処理と同様に適宜の時間に開始される。
ステップＣ１では、情報の表示が指示されたか否かを判別する。情報の表示が指示された場合にはステップＣ２に進み、情報の表示が指示されていない場合に処理を終了する。
ステップＣ２では、指示された情報が特定情報であるか否かを判別する。指示された情報が特定情報でない場合にはステップＣ３に進み、特定情報である場合にはステップＣ６に進む。
ステップＣ３では表示情報要求信号を表示情報管理装置６０に送信する。この時、指示された情報を示す表示情報要求信号が表示情報管理装置６０に送信される。これにより、表示情報管理装置６０は、表示情報要求信号で示される情報を表示するための表示情報を遊技端末装置１１に送信する。
ステップＣ４では、表示情報管理装置６０から送信された表示情報を受信する。
そして、ステップＣ５では、ステップＣ４で受信した表示情報に基づいて指示された情報を表示装置３１に表示した後、処理を終了する。
ステップＣ６では、記憶装置４１から指示された情報を表示するための表示情報を読み出す。
そして、ステップＣ７では、読み出した表示情報に基づいて指示された情報を表示装置３１に表示した後、処理を終了する。
【手続補正５】
【補正対象書類名】明細書
【補正対象項目名】００２３
【補正方法】変更
【補正の内容】
【００２３】
ステップＤ１では、情報が指示されたか否かを判別する。例えば、入力装置５１を用いて情報が指示されたことあるいは表示装置３１のメニュー画面から情報が指示されたことを検出する。なお、リセット処理によってメインメニュー画面の表示情報もクリアされる場合には、最初に入力装置５１のメニュー画面表示キーが操作されることによってメインメニュー画面の情報が指示される。情報が指示された場合にはステップＤ２に進み、情報が指示されていない場合には処理を終了する。
ステップＤ２では、指示された情報を表示するための表示情報が記憶装置４１に記憶されているか否かを判別する。指示された情報を表示するための表示情報が記憶装置４１に記憶されていない場合にはステップＤ３に進み、記憶装置４１に記憶されている場合にはステップＤ８に進む。
【手続補正６】
【補正対象書類名】明細書
【補正対象項目名】００２６
【補正方法】変更
【補正の内容】
【００２６】
次に、本発明の情報表示方法を、図６〜図８に示す表示画面を用いて具体的に説明する。
以下では、遊技端末装置１１の表示装置３１には、図６（ａ）に示すような「台データ」、「得とく情報」及び「お知らせ」の情報が指示可能なメインメニュー画面が表示されるものとする。また、図６（ｂ）に示すような「本日データ」及び「過去データ」の情報が指示可能なサブメニュー画面や、図７（ａ）に示すような「お勧め台」及び「ランキング」の情報が指示可能なサブメニュー画面が表示されるものとする。
図６（ａ）に示すメインメニュー画面、図６(ｂ)や図７（ａ）に示すサブメニュー画面を表示するための表示情報は、予め記憶装置４１に記憶しておいてもよいし、前記した方法を用いて表示情報管理装置６０から受信して記憶装置４１に記憶してもよい。
以下では、メインメニュー画面やサブメニュー画面等を表示するための表示情報を表示情報管理装置６０から受信して記憶装置４１に記憶する方法を用いるものとして説明する。この場合、メインメニュー画面やサブメニュー画面の情報は、特定情報として設定される。